(57)【特許請求の範囲】
【請求項１】
上側ケース体と下側ケース体とからなる制御基板封入用の基板ケースを、封印するための封印シールの貼着構造であって、
切り込み凹部を有し、上側ケース体と係合してスライドされるシール貼着部材と、
前記切り込み凹部を跨いで貼着された封印シールと、
下側ケース体の底面に形成されたシール切断用の突起と、
下側ケース体の底面に形成され、シール貼着部材を前記突起の上方をスライドさせたのち封印シール後方の切り込み凹部に嵌め込むための、ガイド用の突条部と、を備え、
前記シール貼着部材をシール貼着面に側面が立設された側面視Ｌ字形のものとして、この側面を上側ケース体の側壁に嵌め込んで係合させて、シール貼着部材を上側ケース体とともに一体にスライド可能としたことを特徴とする封印シールの貼着構造。
【請求項２】
下側ケース体と上側ケース体とからなる制御基板封入用の基板ケースを、封印するための封印シールの貼着構造であって、
制御基板に形成された切り込み凹部を跨いで貼着された封印シールと、
下方に突出する突起を有し、上側ケース体と係合されてスライドされるシール切断部材と、
制御基板に形成され、シール切断部材の突起を前記封印シールの上方をスライドさせたのち、封印シール後方の切り込み凹部に嵌め込むためのガイド部と、を備えることを特徴とする封印シールの貼着構造。
【請求項３】
シール切断部材を、制御基板の裏面に装着したうえ上側ケース体の側壁と係合させて上側ケース体と一体にスライド可能とした請求項２に記載の封印シールの貼着構造。
【発明の詳細な説明】
【技術分野】
【０００１】
本発明は、遊技機の基板ケースに使用される封印シールの貼着構造に関するものである。
【背景技術】
【０００２】
従来、遊技機の基板ケースにおいては、ケース底体にケース蓋体が合体されており、内部に制御基板を収納している。基板ケースを封印するための封印シールの貼着構造として、特許文献１には、封印シールと貼着面との間に剃刀の刃を滑り込ませて封印シールを引き剥がすのを防止するために、封印シールの貼着面に突部を形成した発明が開示されている。しかしながら、この発明においては、封印シールが外部にむき出しであるので、特殊な薬品等を使用して封印シールが剥がされたあと再び貼着されると、基板ケースが開封されたかどうか判断できないという問題があった。
【０００３】
また、特許文献２には、基板ケース内のＲＯＭに封印シールを貼着したのち基板ケースを封止する発明が開示されている。しかしながら、この技術においても、薬品等を使用して封印シールが剥がされたあと再び貼着されると、封印シールが引き剥がされたかどうかが判別できない、また、基板ケースが開封されたかどうかも判断できないという問題があった。
【先行技術文献】
【特許文献】
【０００４】
【特許文献１】特開平９−２０６４５６号公報
【特許文献２】特開２００１−２２８８００号公報
【発明の概要】
【発明が解決しようとする課題】
【０００５】
本発明は、上記した従来の問題点に鑑み、基盤ケースが閉鎖された場合には、封印シールが制御基盤と一緒に基板ケース内に封止されているので、外部から封印シールに触れることができず、さらに、基板ケースが開封された場合には、封印シールが大きく破壊されて、不正行為が働かれたことを確実に見破ることができる封印シールの貼着構造を提供することを課題とする。
【課題を解決するための手段】
【０００６】
上記の課題を解決するためになされた本発明に係る封印シールの貼着構造は、上側ケース体と下側ケース体とからなる制御基板封入用の基板ケースを、封印するための封印シールの貼着構造であって、
切り込み凹部を有し、上側ケース体と係合してスライドされるシール貼着部材と、
前記切り込み凹部を跨いで貼着された封印シールと、
下側ケース体の底面に形成されたシール切断用の突起と、
下側ケース体の底面に形成され、シール貼着部材を前記突起の上方をスライドさせたのち封印シール後方の切り込み凹部に嵌め込むための、ガイド用の突条部と、を備え、
前記シール貼着部材をシール貼着面に側面が立設された側面視Ｌ字形のものとして、この側面を上側ケース体の側壁に嵌め込んで係合させて、シール貼着部材を上側ケース体とともに一体にスライド可能としたことを特徴とするものである。                    
【０００８】
また、本発明の封印シールの貼着構造は、下側ケース体と上側ケース体とからなる制御基板封入用の基板ケースを、封印するための封印シールの貼着構造であって、
制御基板に形成された切り込み凹部を跨いで貼着された封印シールと、
下方に突出する突起を有し、上側ケース体と係合されてスライドされるシール切断部材と、
制御基板に形成され、シール切断部材の突起を前記封印シールの上方をスライドさせたのち、封印シール後方の切り込み凹部に嵌め込むためのガイド部と、を備えることを特徴とするものである。
【０００９】
上記した発明において、シール切断部材を、制御基板の裏面に装着したうえ上側ケース体の側壁と係合させて上側ケース体と一体にスライド可能とすることができる。
【発明の効果】
【００１０】
請求項１に係る発明において基板ケースを封止する際には、突条部によりシール貼着部材を持ち上げて上向きの突起を飛び越えて封印シールを前方にスライド移動させる。その後、突条部によるシール貼着部材の支承が解除されて突起が封印シール後方の切り込み凹部に嵌め込まれる。これによって、上側ケース体を後方にスライドさせて開封したばあいには突起が前方に移動して封印シールを切断することとなるので、不正行為を容易に発見することができる。
【００１１】
請求項２に係る発明において基板ケースを封止する際には、ガイド部によりシール切断部材を持ち上げて封印シールを飛び越えて下向きの突起をスライド移動させたのち、ガイド部の支承が解除されて突起が封印シール前方の切り込み凹部に嵌め込まれる。これによって、上側ケース体を後方にスライドさせて開封したばあいには突起が後方に移動して封印シールを切断することとなるので、不正行為を容易に発見することができる。
【図面の簡単な説明】
【００１２】
【図１】基板ケースの底体の平面図である。
【図２】基板ケースの蓋体の底面図である。
【図３】シール貼着部材の斜視図である。
【図４】底体の右上隅部の拡大図である。
【図５】シール貼着部材を底体にセットした状態を示す斜視図である。
【図６】シール貼着部材と蓋体側壁の係合状態を説明する斜視図である。
【図７】スライド中のシール貼着部材を示す斜視図である。
【図８】所定位置にシール貼着部材がセット完了した状態の斜視図である。
【図９】突起の移動により破壊された封印シールを示す斜視図である。
【図１０】制御基板が嵌め込まれた蓋体を示す底面図である。
【図１１】基板ケースの底体の底面図である。
【図１２】制御基板の要部拡大図である。
【図１３】シール切断部材の斜視図である。
【図１４】シール切断部材を制御基板にセットした状態を示す斜視図である。
【図１５】シール切断部材と底体との係合を説明する斜視図である。
【図１６】スライド中のシール切断部材を示す斜視図である。
【図１７】シール切断部材がセット完了した状態を示す斜視図である。
【図１８】シール切断部材により封印シールが破壊された状態を示す底面図である。
【発明を実施するための形態】
【００１３】
以下に、本発明の第１の実施形態に付いて説明する。
図１は基板ケースの底体１を示す図、図２は右方から左方にスライドして底体１に合体される蓋体２を示す図である。底体１、蓋体２の右方端部には蓋体２をピンなどを用いてスライド不能にロックするための錠止部３が設けられ、左方端部には外部封印シール貼着部４が設けられている。底体１の右上隅には、シール貼着部材５を用いた本発明に係る封印シールの貼着構造が配設されている。基板ケースには、制御基板が内蔵される。なお、本発明においては、封印シールの貼着構造は、蓋体側に設けてもよく、底体側に設けてもよいものである。よって、蓋体２が上側ケース体又は下側ケース体となることがあるし、底体１が下側ケース体又は上側ケース体となることがある。
【００１４】
シール貼着部材５は図３に示すような構造のものであって、シール貼着部材５は、シール貼着板５２と、その一端に立設された側面５３と、後述する突条部１１に載置される他端５６とを有する。シール貼着板５２には、蓋体２閉鎖時にスライド方向前方となる方向に開口する切り込み凹部５１が形成されている。すなわち切り込み凹部５１は、開口部５１ａとその反対側の止まり部５１ｂとを有する。また、他端５６の一角には突条部１１からの離脱を容易とするための面取り部５２ａが設けられている。ここで、側面５３、他端５６、切り込み凹部５１は概ね平行に形成されている。側面５３は、その上部に形成された下向きの凹溝部５４と、上端に形成された上向きの凹部５５とを有する。シール貼着板５２の裏側には、切り込み凹部５１を跨いで封印シール８が貼着されていて、切り込み凹部５１の止まり部５１ｂと封印シール８との間には突起１２が入ることのできる空間が残されている。なお、シール貼着部材５の材質として、ＰＣ、ＡＢＳ等の樹脂を用いることができる。
【００１５】
図４は、底体１の右上隅を拡大して示す図であって、底体１の底面にはガイド用の突条部１１と突起１２が形成されている。突条部１１は、角形棒状のものであって、底体１の側壁１３と平行に設けられていて、先端の角部１１ａが面取りされている。突起１２は、図中の左方が先端鋭利に形成されていて、封印シール８を破壊しやすく形成されている。
【００１６】
封印シール８にて基板ケースを封印するには、以下のようにして行う。すなわち図５に示すように底体１の右上隅で突起１２の後方に、シール貼着部材５を据え置く。すなわち、下向きの凹溝部５４の内部に底体１の側壁１３を嵌め込んだうえに、シール貼着板５２の他端５６を突条部１１の上に据え置く。シール貼着部材５は可撓性を有するので、凹溝部５４を側壁１３に嵌め込んだうえに、他端５６を突条部１１の上に載置した状態で、スライド移動させることができる。さらに、図６に示すように、上端の凹部５５に、蓋体２の側壁２１に設けた下向きの突片２２を嵌め込む。
【００１７】
蓋体２を図６における左方にスライドさせることによって突片２２に係合されたシール貼着部材５が底体１の側壁１３に案内されつつ突条部１１上を摺動する（図７）。このときシール貼着板５２は突起１２とは離間されていて、封印シール８は突起１２の上方を通過するので、封印シール８が破損されることはない。
【００１８】
シール貼着板５２の面取り部５２ａが突条部１１の面取り部１１ａを通過すると、突条部１１によるシール貼着部材５の持ち上げが解除されて、シール貼着板５２は底体１の底面１４に当接されるが、このときは、封印シール８の切り込み凹部５１を跨ぐ部分８１は突起１２を飛び越えているので、突起１２は当該部分の後方の切り込み凹部５１に嵌め込まれる（図８）。かくして、突起１２の前方に、切り込み凹部５１を跨いで封印シール８が貼着されたシール貼着部材５をセットするとともに、基板ケースを閉鎖することができる。この状態では、封印シール８は基板ケースの内部にあるので、基板ケースを破壊しない限り外部から封印シール８に触れることはできない。
【００１９】
以上のように封印された基板ケースにおいて、蓋体２を右方に（図９においては右上方向に）スライドさせたばあいには、底体１が相対的に左方に（図９においては左下方向に）スライドされる。その結果、突起１２が切り込み凹部５１の開口部の方に移動されるので、封印シール８は破壊される。よって、基板ケースは透明な樹脂でできているので、底体１又は蓋体２を通して外部から開封されたことを容易に視認することができる。これにより不正行為が働かれたことがわかる。なお、封印シール８の形状は、図示のようなドーナツ板状のものに限らず、切り込み凹部５１を跨ぐことができる短冊状のものなど適宜の形状のものを用いることができる。また、封印シール８として、ホログラムなどの複製の困難なものを使用するのが、張り替えが困難となるので望ましい。
【００２０】
次に、第２の実施形態の封印構造について説明する。
図１０は、制御基板６が嵌め込まれた蓋体２（下側ケース体）を示す図、図１１は、図１０に示す蓋体２に、右から左にスライドして装着される底体１（上側ケース体）である。図１０の右上隅部には本発明に係る封印シールの貼着構造が配設されている。
【００２１】
図１２に示すように、制御基板６の右上隅部には底体１のスライド方向に延伸する切り込み凹部５１が形成されてい。この切り込み凹部５１を跨いで封印シール８が貼着されていて、切り込み凹部５１の一端５１ｃと封印シール８との間には後述する突起７１が入ることのできる空間が残されている。制御基板の端部６１の反対側の切り込み凹部５１を挟む位置には、穴状のガイド部５９が切り込み凹部と平行に形成されている。ガイド部５９は、段差部５７と拡幅部５８とを有し、段差部５７はガイド部５９の穴幅を狭くして形成され、拡幅部５８はその穴幅を広くして形成されている。
【００２２】
図１３は、シール切断部材７を示す図であって、中程に先端鋭利な突起７１が形成された平坦部７２と、段差５７上を摺動する一端のレール部７３と、制御基板６の端部に嵌め込まれる他端の溝状部７４とを有する。シール切断部材７は、図１３とは表裏反転して使用される。なお、シール切断部材７の材質として、ＰＣ、ＡＢＳ等の樹脂を用いることができる。
【００２３】
封印シール８にて基板ケースを封印するには、図１４に示すように、制御基板６の端部６１にシール切断部材７の溝状部７４を嵌め込んでスライド可能としたうえ、レール部７３を段差部５７上において平坦部７２を制御基板６の板面６２から浮かせる。そして、図１５に示すように、シール切断部材７の端部を底体１の側壁１５に設けた係合凹部１６に嵌め込むことによって、シール切断部材７を底体１とともにスライドさせることができる。シール切断部材７は、可撓性を有するので、図１４のごとくセットした状態でスライドさせることができる。
【００２４】
底体１を図１５における左方にスライドさせることによりシール切断部材７が基板ケース６の端部６１に案内されつつレール部７３が段差５７上を摺動する（図１６）。このとき封印シール８と突起７１とは離間されていて突起７１は封印シール８の上方を通過するので、封印シール８が破損されることはない。
【００２５】
レール部７３が段差部５７を通過すると、シール切断部材７の持ち上げが解除されて、レール部７３が拡幅部５８に嵌め込まれてシール切断部材７の平坦面７２が制御基板６の板面６２に当接されるが、このときは、突起７１は、封印シール８が切り込み凹部５１を跨ぐ部分８１を飛び越えているので、突起７１は当該部分８１の前方の切り込み凹部５１に嵌め込まれる（図１７）。かくして、突起７１の後方に、切り込み凹部５１を跨いで封印シール８を貼着するとともに、基板ケースを閉鎖することができる。この状態では、封印シール８は基板ケースの内部にある。
【００２６】
以上のように封印された基板ケースにおいて、底体１を右方にスライドさせて開封したばあいには、蓋体２が相対的に左方にスライドされる。その結果、突起７１が封印シール８の切り込み凹部５１を跨ぐ部分８１を通過することになるので、封印シール８は破壊される（図１８）。よって、不正行為が働かれたことを容易に視認することができる。
【符号の説明】
【００２７】
１  下側ケース体（蓋体又は底体）、２  上側ケース体（底体又は蓋体）、５  シール貼着部材、１１突条部、１２  突起、５１  切り込み凹部、８  封印シール、
【図１】
0005568763.tif 000002
【図２】
0005568763.tif 000003
【図３】
0005568763.tif 000004
【図４】
0005568763.tif 000005
【図５】
0005568763.tif 000006
【図６】
0005568763.tif 000007
【図７】
0005568763.tif 000008
【図８】
0005568763.tif 000009
【図９】
0005568763.tif 000010
【図１０】
0005568763.tif 000011
【図１１】
0005568763.tif 000012
【図１２】
0005568763.tif 000013
【図１３】
0005568763.tif 000014
【図１４】
0005568763.tif 000015
【図１５】
0005568763.tif 000016
【図１６】
0005568763.tif 000017
【図１７】
0005568763.tif 000018
【図１８】
0005568763.tif 000019